(57)【特許請求の範囲】
【請求項１】
家具の下部に台輪が形成されており、該台輪の内側または外側に台輪と遊嵌した移動枠が設置されていて、該移動枠と家具の下面間には複数のジャッキが取り付けられており、これら複数のジャッキはジャッキ操作装置の動力伝動部と連動されていて、動力伝動部を回動することにより複数のジャッキを同一方向に上下動させることができる家具の上下動用ジャッキ操作装置において、
家具の移動枠に上方に向けて設置された押し上げ棒；
円柱状の棒状材で下部が屈曲しており、該下部には横方相対向する位置に二本の係合ピンが突出して取り付けられているハンドル；
上部はハンドル挿入部となっており、該ハンドル挿入部にはハンドル下部を容易に挿入できるハンドル挿入孔が穿設されていて、しかも該挿入孔の上端には相対向する二箇所にハンドルの係合ピンを係合する切り欠きが縦方に形成されているとともに、これら二箇所の切り欠きの一側には回転同一方向に上向きの傾斜が付されていて、さらに下部は複数のジャッキと連動体で連動する動力伝動部となっており、その中央には押し上げ棒を容易に挿通できる押し上げ棒挿通孔が穿設されているハンドル作動部；
ハンドル作動部を回動自在に保持し、家具の底面に取り付けることのできる保持体；
から構成されていることを特徴とする家具の上下動用ジャッキ操作装置。
【請求項２】
前記動力伝動部は、傘歯車であり、該傘歯車に連動する連動体は一端に傘歯車を取り付けた棒状体であることを特徴とする請求項１に記載の家具の上下動用ジャッキ操作装置。
【請求項３】
前記動力伝動部は、スプロケットであり、該スプロケットに連動する連動体は無端のチェーンであることを特徴とする請求項１に記載の家具の上下動用ジャッキ操作装置。
【請求項４】
前記動力伝動部は、プーリーであり、該プーリーに連動する連動体は無端のワイヤーであることを特徴とする請求項１に記載の家具の上下動用ジャッキ操作装置。
【発明の詳細な説明】
【技術分野】
【０００１】  本発明は、部屋の間仕切り用家具を上下動させるジャッキの操作装置に関する。
【背景技術】
【０００２】  近時のマンションは、部屋数が少なくて一部屋の広さを広くしたものが多くなってきている。その理由は、そこに住む人が自分の好みに合わせて広い部屋を自由に仕切って使用できるからである。例えば、子供が成長するにしたがって、独立した部屋が必要になったり、二世帯同居で、それぞれの家族が住む部屋が必要になったりする場合、大きな部屋であれば所望の大きさに仕切ることができる。この部屋を仕切るために、専門の工事業者に頼んでリフォーム工事をした場合、多大な工事費用がかかるばかりでなく、支柱や壁等の取り付けが本格的な工事となる。その後、再度模様替えや仕切り直し等を行うと思っても素人では簡単にそれが行えなくなり、仕切り部分を除去してみると工事跡が残ってしまう。【０００３】  そこで素人でも簡単に部屋の仕切りを行えるものとして、パーテーションがある。一般のパーテーションは、高さの低いものが多いが、住居用として高さの高いものもある。この高さの高いパーテーションは支柱が天井まで伸びていて、その間にアルミや樹脂、ガラス等の建材を貼った突っ張りパーテーションというものである。しかしながら、突っ張りパーテーションは、支柱間に貼る建材が薄かったり、光を透過させたりするため、部屋の仕切りとして使用した場合、隣室の音や光が漏れるという問題があり、プライバシーを守るための仕切りには適していない。【０００４】  これらの問題に鑑み、最近では、高さの高い家具を部屋の間仕切りとして用いることがなされるようになってきた。この間仕切り用の家具は収納として利用できるため、その部屋を使う人にとっては大変に便利となり、さらには家具自体は厚さが厚いため、隣室の音や光が漏れにくいという特長もある。【０００５】  ところで近時のマンションは、各部屋の床面から天井までの天井高が２４００ｍｍのものが多い。このようなマンションの部屋に高さが２４００ｍｍ丁度の家具を搬入しようとすると、部屋内での移動がしにくくなるため、天上高よりも少し高さの低い家具を使用する。従って、間仕切り用の家具は、高さが天井高よりも５０〜６０ｍｍくらい低くなっている。この高さの家具をそのまま間仕切りとして使用すると、家具の天板と天井の間隙から隣室の音や光が漏れてくるばかりでなく、地震が発生したときに、家具が倒れて、家具の近くにいた人に怪我を負わせたり、これが大きな家具であると死亡事故につながったりする恐れもある。【０００６】  そこで従来より、家具の下部にジャッキとキャスターを設置し、家具の移動時にはキャスターを降ろして、キャスターで家具を移動させ、移動後、ジャッキで家具を天井面まで上昇させて家具の天板と天井間の間隙をなくす家具が提案されている。【０００７】  この家具は、家具の下部に台輪が形成されており、該台輪の内側または外側に台輪と遊嵌する移動枠が設置されたものである。移動枠の対向する部分には取付板が架設されていて、該取付板と家具の底板間に複数のジャッキが取り付けられている。この複数のジャッキは家具の底板に設置されたジャッキ操作装置の動力伝動部と連動しており、動力伝動部をハンドルで回動することによりジャッキが作動し、移動枠が上下動して家具を上下動させる。【０００８】  また家具の底板���複数箇所には、キャスターが取り付けられている。キャスターは、下端が台輪よりも下方に突出しているが、移動枠をジャッキで下方に下げると、家具の上昇とともに移動枠が床面に接地し、キャスターは床面から離れる。この状態が家具を所定の位置に安定して置いたことになる。そしてジャッキで移動枠を上げると、家具が下方に下がってキャスターの下部が露出するようになる。そこで家具の側面を押すと、キャスターの円滑な走行により家具を次の所定の位置まで楽に移動させることができる。【０００９】  このように間仕切り用家具は、ジャッキの上下動でキャスターの露出や移動枠の床面への接地が行われるようになっている。しかしながら、ジャッキは、小さい力で大きな力を出すことができるため、移動枠を上げてキャスターを露出させた後、ジャッキを作動させてもジャッキを作動させている人には何の手ごたえもないことから、必要以上に移動枠を上げるようなジャッキの作動を行ってしまうことがある。するとジャッキを構成するネジ部、ジャッキ操作装置、複数のジャッキを連動させる連動体等が破壊されてしまうことがあった。【００１０】  このように必要以上のジャッキの作動による不都合に鑑み、従来より移動枠が所定の位置まで上がってキャスターを少し露出させたところで止まるように、ジャッキ操作装置からジャッキへの力の伝達を遮断する装置が提案されている。（特許文献１、２）
【先行技術文献】
【特許文献１】特許第３３３７４５７号公報
【特許文献２】特許第４２４４１３８号公報
【発明の概要】
【発明が解決しようとする課題】
【００１１】  文献１の装置は、ストッパー機構を採用しているため、回転軸が回り止めされたとき、操作軸を操作する手に大きな衝撃が加わり、手を傷める危険性がある。また、回転軸が回り止めされる毎にストッパー機構に衝撃が加わるため、ストッパー機構が破損しやすいという不都合がある。【００１２】  文献２の装置は、操作軸から駆動ホイールへの回転の伝達・遮断ができるクラッチを採用しているため、円滑な操作が行えるという特許文献１にはない特長を有している。しかしながら特許文献２の装置は、構成する部品点数が多く、しかも各部品の形状が複雑であるため、製造価格が高価となるばかりでなく、ジャッキ操作装置内で多数の精密な部品を使用することから故障しやすいという問題があった。本発明は、使用時に大きな衝撃がなく、さらには簡単形状の部品で構成されているため、安価で故障の少ないという家具の上下動用ジャッキ操作装置（以下、ジャッキ操作装置という）を提供することにある。
【発明を解決するための手段】
【００１３】  本発明者らは、ジャッキ操作装置内でジャッキへの力の伝達と遮断を行おうとすると、ジャッキ操作装置の構造が複雑になることから、ジャッキ操作装置の内部構造に関係ないところ、即ちジャッキ操作装置外部でジャッキへの力の伝達と遮断ができれば、構造が簡単となり、また故障も少なくなることに着目して本発明を完成させた。
【００１４】  本発明は、家具の下部に台輪が形成されており、該台輪の内側または外側に台輪と遊嵌した移動枠が設置されていて、該移動枠と家具の下面間には複数のジャッキが取り付けられており、これら複数のジャッキはジャッキ操作装置の動力伝動部と連動されていて、動力伝動部を回動することにより複数のジャッキを同一方向に上下動させることができる家具の上下動用ジャッキ操作装置において、家具の移動枠に上方に向けて設置された押し上げ棒；円柱状の棒状材で下部が屈曲しており、該下部には横方相対向する位置に二本の係合ピンが突出して取り付けられているハンドル；上部はハンドル挿入部となっており、該ハンドル挿入部にはハンドル下部を容易に挿入できるハンドル挿入孔が穿設されていて、しかも該挿入孔の上端には相対向する二箇所にハンドルの係合ピンを係合する切り欠きが縦方に形成されているとともに、これら二箇所の切り欠きの一側には回転同一方向に上向きの傾斜が付されていて、さらに下部は複数のジャッキと連動体で連動する動力伝動部となっており、その中央には押し上げ棒を容易に挿通できる押し上げ棒挿通孔が穿設されているハンドル作動部；ハンドル作動部を回動自在に保持し、家具の底面に取り付けることのできる保持体；から構成されていることを特徴とする家具の上下動用ジャッキ操作装置である。
【００１５】  本発明における動力伝動部としては、傘歯車、スプロケット、プーリー等がある。
【００１６】  動力伝動部として傘歯車を使用する場合、該傘歯車に連動させる連動体としては丸棒、六角棒等の棒状体である。動力伝動部の傘歯車に棒状体を連動させるには棒状体の一端に取り付けた傘歯車を動力伝動部の傘歯車に噛み合わせることにより動力伝動部からの回転力を連動させる。そしてジャッキにはジャッキの回転軸に傘歯車を取り付け、該傘歯車と連動体の他端に取り付けた傘歯車と噛み合わせることにより動力伝動部の回転力をジャッキに伝える。動力伝動部に隣接したジャッキは直接動力伝動部と連動するが、動力伝動部から離れたジャッキは、動力伝動部に隣接したジャッキと連動させて動力伝動部の回転力を間接的に受ける。
【００１７】  動力伝動部としてスプロケットを使用する場合、連動体は無端のチェーンであり、家具底面に取り付けた全てのジャッキの回転軸にも動力伝動部と同一のスプロケットを取り付ける。そして動力伝動部のスプロケットと全てのジャッキのスプロケットを無端のチェーンで繋ぐことにより、動力伝動部の回転力を全てのジャッキに伝える。
【００１８】  動力伝動部としてプーリーを使用する場合、連動体は無端のワイヤーであり、家具底面に取り付けた全てのジャッキの回転軸にも動力伝動部と同一のプーリーを取り付ける。そして動力伝動部のプーリーと全てのジャッキのプーリーを無端のワイヤーで繋ぐことにより、動力伝動部の回転力を全てのジャッキに伝える。
【発明の効果】
【００１９】  本発明によれば、ジャッキ操作装置自体は従来から問題なく用いられた信頼性のある構造で、しかも部品が堅牢であるため、組み立てが極めて容易に行えるばかりでなく、充分な強度を有しているものであり、また使用中もジャッキ操作装置へのハンドルの自然な出入りだけで力の遮断・伝達が円滑に行えるという従来にない優れた効果を奏するものである。
【図面の簡単な説明】
【００２０】
【図１】本発明のジャッキ装置を設置した家具において、天板が天井に接触していない状態の正面図
【図２】本発明のジャッキ装置を設置した家具において、天板が天井に接触した状態の正面図
【図３】本発明のジャッキ装置を設置した家具の下部分解斜視図
【図４】（１）本発明のジャッキ装置を設置した家具において、移動枠を上げてキャスターを床面に接地した状態を説明する図  （２）本発明のジャッキ装置を設置した家具において、移動枠を下げてキャスターを床面から離した状態を説明する図
【図５】本発明のジャッキ装置を設置した家具の底面図（ジャッキの取り付け状態が分かるようにジャッキの取付板は除去）
【図６】本発明のジャッキ操作装置の分解斜視図
【図７】本発明のジャッキ操作装置の中央断面図（ａ）ハンドルの側面図
【図８】（１）本発明のジャッキ操作装置におけるハンドル挿入部の平面図図  （２）本発明のジャッキ操作装置におけるハンドル挿入部の正面断面図
【図９】本発明のジャッキ操作装置において、ハンドルがハンドル挿入部から外れた状態を説明する図
【発明を実施するための形態】
【００２１】  本発明のジャッキ操作装置を設置した家具について簡単に説明する。実施例では、ジャッキ操作装置の動力伝動部として傘歯車を使用したものであり、動力伝動部からジャッキに回転力を伝える連動体としては六角棒を使用したものである。
【００２２】  家具Ｋの底板１の下面には、底板１よりも外形が少し小さい矩形の台輪２が固定されている。また該台輪の外側には、台輪に対して僅かな隙間をもって遊嵌する移動枠３が設置されている。
【００２３】  底板１には、四隅にキャスター４・・・が取り付けられている。また底板１には複数のジャッキ５ａ、５ｂ、５ｃ、５ｄとジャッキ操作装置Ｘが取り付けられている。ジャッキ操作装置Ｘは、図４に示すように、家具Ｋの底板１に孔を開け、該孔にジャッキ操作装置の上部を通して底板に取り付ける。従って、ジャッキ操作装置を操作するには家具の底板の上、即ち家具の内部から行うものである。
【００２４】  ジャッキ操作装置Ｘの動力伝動部（傘歯車）３５には図７に示すように二個の連動用の傘歯車６、６が噛み合って設置されており、該傘歯車の軸７、７には連動体（六角棒）８、８が取り付けられている。図３に示すようにジャッキ操作装置Ｘと隣接したジャッキ５ａ、５ｂは六角棒８、８で連結され傘歯車により連動しており、他のジャッキ５ｃはジャッキ５ａと、ジャッキ５ｄはジャッキ５ｂと六角棒８、８で連結され、同様に傘歯車で連動している。移動枠３には、相対向するフレーム間に取付板９、９が架設されており、ジャッキ５ａ、５ｂ、５ｃ、５ｄの下部はこの取付板９、９に固定されている。
【００２５】  本発明のジャッキ操作装置Ｘは、図６に示すように、押し上げ棒１０、ハンドル２０、ハンドル作動部３０、保持体４０から構成されている。
【００２６】  押し上げ棒１０は、上部にフランジ１１が形成されている。押し上げ棒１０の直径は、後述保持体４０の下蓋４２中央に穿設された摺動孔４７を容易に通すことができる大きさであり、フランジ１１の直径は該摺動孔よりも大きくなっている。従って、本発明のジャッキ操作装置を組み立てるときは、押し上げ棒を上方から摺動孔４７に入れて、押し上げ棒のフランジ部分を該摺動孔で係止させる。
【００２７】  押し上げ棒１０は、図９に示すように、棒受け１２の上部に置かれている。該棒受けは、移動枠３に取り付けられた図示しないブラケットで固定されている。従って、移動枠３の上下動にともなって棒受け１２も上下動し、棒受け１２の上に置かれた押し上げ棒１０を上下動させる。棒受け１２の高さ調節はブラケットの固定位置を調節することにより行う。
【００２８】  ハンドル２０は、図４（２）に示すように、下部が屈曲したクランク状となっており、図６、７に示すように、下部の所定の位置には横方相対向する位置に二本の係合ピン２１、２１が突出して取り付けられている。係合ピン２１、２１の取り付け位置は、後述ハンドル作動部３０のハンドル挿入孔３２にハンドル下部を挿入したときに、ハンドル挿入部３１に形成した切り欠き３３の底部と一致したところである。係合ピン２１、２１の両端を結ぶ長さはハンドル挿入部３１の外径よりも僅かに短くなっている。従って、係合ピン２１、２１を切り欠き３３、３３に入れてハンドルを回したときに、係合ピンはハンドル挿入部３１の外側に出ないため、ハンドル作動部３０の回転に支障をきたさない。
【００２９】  ハンドル作動部３０は、図８（２）に示すように、上部がハンドル挿入部３１となっており、該ハンドル挿入部はハンドル２０の下部を挿入するハンドル挿入孔３２が下方まで貫通して穿設されている。該ハンドル挿入孔は押し上げ棒１０のフランジ１１を容易に挿通できる大きさとなっている。またハンドル挿入部３１の上端には、相対向する二箇所に縦方の切り欠き３３、３３が形成されている。該切り欠きの両側が垂直な側壁となっており、一方の側壁上部には図８に示すように、回転同一方向、例えば反時計回り側の側壁上部に上向きの傾斜３４が付されている。
【００３０】  またハンドル作動部３０の下部は動力伝動部３５となっている。実施例に示す動力伝動部は縦方に設置した傘歯車であり、該傘歯車には図７に示すように両横から連動用の傘歯車６、６が噛み合っている。連動用の傘歯車６、６は横方が軸７、７となっており、該軸には横方に六角穴が穿設されている。該六角穴には連動体である六角棒８、８が嵌合されている。
【００３１】  保持体４０は、ハンドル作動部３０を回動自在に保持するとともに家具Ｋの底板１に取り付けるものである。実施例の保持体は図６に示すように、上蓋４１、下蓋４２から構成されている。上蓋４１の上部にはハンドル作動部３０のハンドル挿入部３１を軸支できる軸受４３となっており、両側には上部が半円形となった上軸受４４が形成されている。また上蓋４１の複数個所にはネジ挿通孔４５・・・が穿設されている。下蓋４２の両側には、上蓋４１の上軸受４４と一致したところに半割状の下軸受４６、４６が形成されている。これら上軸受と下軸受は、連動用の傘歯車６、６の軸７、７を軸支するものである。また下蓋４２の中央には押し上げ棒１０を上下方向に摺動させる摺動孔４７が穿設されている。該摺動孔は押し上げ棒１０を容易に通過させるが、押し上げ棒のフランジ１１は通過させないようになっている。下蓋４２には、上蓋４１のネジ挿通孔４５とはずれた位置に複数のビス挿通孔４８・・・が穿設されており、上蓋４１には該ビス挿通孔と一致したところに、図示しないビス孔が穿設されている。なお動力伝動部として、スプロケットやプーリーを使用する場合、保持体はハンドル作動部を回動自在に保持でき、しかも家具の底板に取り付けることができるものであれば、如何なる形状、構造のものでもよい。
【００３２】  ここで本発明のジャッキ操作装置の組み立てについて説明する。先ず保持体４０の下蓋４２に穿設された摺動孔４７に上方からフランジ１１を上にして押し上げ棒１０を挿入し、摺動孔４７の上部でフランジ１１を係止させる。そして保持体４０の上蓋４１の軸受４３に下方からハンドル作動部３０のハンドル挿入部３１を挿入する。その後、保持体４０の下蓋４２の軸受４６、４６に二個の連動用傘歯車６、６の軸７、７を載置してから下蓋４２に上蓋４１を重ね、下蓋４２のビス挿通孔４８からビスを上蓋４１の図示しないビス孔に螺入して、上蓋と下蓋を固定する。
【００３３】  このようにして組み立てられたジャッキ操作装置は、図３に示すように、それぞれのジャッキ５ａ、５ｂ、５ｃ、５ｄと連動体８で連結させる。そして家具Ｋの底板１において、それぞれのジャッキとジャッキ操作装置の位置を決め、ジャッキ操作装置の設置位置に保持体４０の軸受４３が挿通できる孔を開け、該孔に軸受４３を挿通してから上蓋４１のネジ挿通孔４５に木ネジを通して家具Ｋの底板１に固定する。その後、それぞれのジャッキ５ａ、５ｂ、５ｃ、５ｄの上部を家具の底板に取り付けるとともに、ジャッキ５ａ、５ｂ、５ｃ、５ｄの下部を移動枠３に架設された取付板９に固定する。
【００３４】  次に、ジャッキ操作装置が取り付けられた間仕切り用家具の移動について説明する。先ず、図２に示すように、家具の移動前は移動枠３が下方に下ろされていて、キャスター４は床面Ｙから離れた状態、即ち家具の天板が部屋の天井Ｔに接した状態となっている。そして部屋の模様替のために、この家具を移動させるには、家具Ｋの扉を開け、家具の底板１に開けた孔からジャッキ操作装置Ｘのハンドル挿入孔３２にハンドル２０の下部を挿入する。このときハンドル２０に取り付けた係合ピン２１、２１は、ハンドル挿入部３１の切り欠き３３、３３の底部まで入る。そして移動枠３が上がる方向（反時計回り）にハンドル２０を回すと、係合ピン２１、２１が切り欠き３３の垂直な側壁を押してハンドル作動部３０を容易に回動させる。
【００３５】  するとハンドル作動部３０の動力伝動部である傘歯車３５に噛み合っていた二個の連動用傘歯車６、６も回動し、該傘歯車に固定された六角棒８、８で連結されたジャッキ５ａ、５ｂも傘歯車３５と同一回転する。またジャッキ５ａ、５ｂに六角棒８、８で連結されたジャッキ５ｃ、５ｄも同様にして動力伝動部３５と同一回転をする。
【００３６】  この回転により、これらのジャッキ５ａ、５ｂ、５ｃ、５ｄが取り付けられた移動枠３は上方に持ち上げられ、図１に示すようにキャスター４・・・が移動枠３よりも下方に露出するようになる。このとき移動枠３に取り付けられていた棒受け１２も移動枠３の上昇とともに上昇するため、棒受け１２上に置かれた押し上げ棒１０が上昇し、押し上げ棒１０のフランジ１１上部がハンドル挿入部３１のハンドル挿入孔３２に挿入されていたハンドル２０を上方に押し上げるようになる。
【００３７】  すると切り欠き３３の下端で係合し、それまで切り欠き３３の側壁を押していた係合ピン２１、２１が傾斜３４に入り、係合ピン２１、２１は傾斜３４に沿って更に上方に持ち上げられ、図９に示すように、遂にはハンドルはハンドル挿入孔３２から外れて、それ以上ハンドル挿入部３０を回転させることができなくなる。従って、その後は、ジャッキ操作装置や連結体、他のジャッキ等にも力が掛からなくなるため、装置や部品を破壊することがない。
【００３８】  このようにしてジャッキの作動により移動枠３が或る高さまで上昇し、キャスター４が移動枠から露出して図１に示すように床面Ｙに接地したならば、家具Ｋを押して次の間仕切り場所まで移動させる。家具を所定の間仕切り場所まで移動させた後、移動枠３を下げる方向にハンドルを回動させる。このとき間違って移動枠を上げる方向にハンドルを回しても係合ピンが切り欠きの傾斜に位置しているため、ハンドルは空回りとなる。そして移動枠を下げる方向にハンドルを回動させると、係合ピンは切り欠きの傾斜のない垂直となった側壁に当接しているため、ハンドル作動部は容易に回動し、移動枠を降ろして床面Ｙに接地させる。その後、さらにハンドルを回動させて家具の上部を天井Ｔまで上昇させることにより家具での間仕切り作業が終了する。
【００３９】  以上、説明したように、本発明のジャッキ操作装置は、移動枠を上げる際に、移動枠が所定の位置まで上がると、ハンドルがハンドル作動部から簡単に外れるため、それ以上ハンドルを回しても空回りとなり、ハンドルの力が他の構成部分に掛からなくなって、構成部分を破壊したり、手に衝撃を受けたりすることがないという従来にない優れた効果を奏するものである。
【符号の説明】
【００４０】１  家具の底板
２  台輪
３  移動枠
４  キャスター
５ａ、５ｂ、５ｃ、５ｄ  ジャッキ
６  連動用傘歯車
７  連動用傘歯車の軸
８  連動体（六角棒）
９  取付板
１０  押し上げ棒
１１  フランジ
１２  棒受け
２０  ハンドル
２１  係合ピン
３０  ハンドル作動部
３１  ハンドル挿入部
３２  ハンドル挿入孔
３３  切り欠き
３４  傾斜
３５  動力伝動部（傘歯車）
４０  保持体
４７  摺動孔
Ｘ  ジャッキ操作装置
Ｋ  家具
Ｔ  天井
Ｙ  床面
【図１】
0006350994.tif 000002
【図２】
0006350994.tif 000003
【図３】
0006350994.tif 000004
【図４】
0006350994.tif 000005
【図５】
0006350994.tif 000006
【図６】
0006350994.tif 000007
【図７】
0006350994.tif 000008
【図８】
0006350994.tif 000009
【図９】
0006350994.tif 000010